【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
遊技領域に遊技媒体を発射して遊技を行う遊技機であって、
前記遊技領域に発射された遊技媒体が流下可能な第１経路および該第１経路とは異なる第２経路と、
前記第１経路に遊技媒体を流下させることが有利な第１状態と、前記第２経路に遊技媒体を流下させることが有利な第２状態と、を含む複数の状態に制御可能な制御手段と、
前記第２経路に向けた遊技媒体の発射を促す促進報知を実行可能な報知手段と、を備え、
前記報知手段は、
前記第２状態であるときに、第１態様の促進報知と、該第１態様よりも認識しやすい第２態様の促進報知と、を実行可能であり、
所定条件の成立に基づいて第１態様の促進報知を実行可能であり、
前記所定条件が成立した後に特定条件の成立に基づいて第２態様の促進報知を実行可能であり、
音量に関する設定が可能な設定手段と、
遊技者の動作を検出可能な検出手段と、をさらに備え、
前記設定手段による設定に対応した音量で第１態様の促進報知を実行可能であり、
前記設定手段による設定にかかわらず所定の音量で第２態様の促進報知を実行可能であり、
前記設定手段は、前記検出手段の検出結果に応じて音量に関する設定を変更可能である、
ことを特徴とする遊技機。
【請求項２】
遊技領域に遊技媒体を発射して遊技を行う遊技機であって、
前記遊技領域に発射された遊技媒体が流下可能な第１経路および該第１経路とは異なる第２経路と、
前記第１経路に遊技媒体を流下させることが有利な第１状態と、前記第２経路に遊技媒体を流下させることが有利な第２状態と、を含む複数の状態に制御可能な制御手段と、
前記第２経路に向けた遊技媒体の発射を促す促進報知を実行可能な報知手段と、を備え、
前記報知手段は、
前記第２状態であるときに、第１態様の促進報知と、該第１態様よりも認識しやすい第２態様の促進報知と、を実行可能であり、
所定条件の成立に基づいて第１態様の促進報知を実行可能であり、
前記所定条件が成立した後に特定条件の成立に基づいて第２態様の促進報知を実行可能であり、
音量に関する設定が可能な設定手段と、
遊技者の動作を検出可能な検出手段と、をさらに備え、
前記設定手段による設定に対応した音量で第１態様の促進報知を実行可能であり、
前記設定手段による設定と比較して大きな音量で第２態様の促進報知を実行可能であり、
前記設定手段は、前記検出手段の検出結果に応じて音量に関する設定を変更可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技領域に遊技媒体を発射して遊技を行う遊技機であって、前記遊技領域に発射された遊技媒体が流下可能な第１経路および該第１経路とは異なる第２経路と、前記第１経路に遊技媒体を流下させることが有利な第１状態と、前記第２経路に遊技媒体を流下させることが有利な第２状態と、を含む複数の状態に制御可能な制御手段と、前記第２経路に向けた遊技媒体の発射を促す促進報知を実行可能な報知手段と、を備え、前記報知手段は、前記第２状態であるときに、第１態様の促進報知と、該第１態様よりも認識しやすい第２態様の促進報知と、を実行可能であり、所定条件の成立に基づいて第１態様の促進報知を実行可能であり、前記所定条件が成立した後に特定条件の成立に基づいて第２態様の促進報知を実行可能であり、音量に関する設定が可能な設定手段と、遊技者の動作を検出可能な検出手段と、をさらに備え、前記設定手段による設定に対応した音量で第１態様の促進報知を実行可能であり、前記設定手段による設定にかかわらず所定の音量で第２態様の促進報知を実行可能であり、前記設定手段は、前記検出手段の検出結果に応じて音量に関する設定を変更可能である。
（１）さらに、他の態様に係る遊技機は、遊技領域に遊技媒体（例えば遊技球など）を発射して遊技を行う遊技機（例えばパチンコ遊技機１など）であって、前記遊技領域に発射された遊技媒体が流下可能な第１経路（例えば右側遊技領域など）および該第１経路とは異なる第２経路（例えば左側遊技領域など）と、前記第１経路に遊技媒体を流下させることが有利な第１状態（例えば高ベース状態など）と、前記第２経路に遊技媒体を流下させることが有利な第２状態（例えば低ベース状態など）とを含む複数の状態に制御可能な制御手段（例えば遊技制御用マイクロコンピュータ１００のＣＰＵ１０３など）と、前記第２経路に向けた遊技媒体の発射を促す促進報知を実行可能な報知手段（例えば演出制御用ＣＰＵ１２０、画像表示装置５、スピーカ８Ｌ、８Ｒなど）とを備え、前記報知手段は、前記第２状態であるときに、第１態様の促進報知（例えば第１報知画像の表示例６９ＡＫＤ１１、第１報知出力量による音声出力など）と、該第１態様よりも認識しやすい第２態様の促進報知（例えば第２報知画像の表示例６９ＡＫＤ１２、第２報知出力量による音声出力など）とを実行可能であり、所定条件（例えば第１通過条件など）の成立に基づいて第１態様の促進報知を実行可能であり、前記所定条件が成立した後に特定条件（例えば第２通過条件など）の成立に基づいて第２態様の促進報知を実行可能であり、音量に関する設定が可能な設定手段（例えばステップ６９ＡＫＳ１３、６９ＡＫＳ２５、６９ＡＫＳ３４を実行する演出制御用ＣＰＵ１２０など）をさらに備え、前記設定手段による設定に対応した音量で第１態様の促進報知を実行可能であり、前記設定手段による設定にかかわらず所定の音量で第２態様の促進報知を実行可能である（例えば設定例７０ＡＫＣ０１による出力量設定など）。
これにより、適切な報知が可能となり、遊技興趣の低下を防止できる。
【手続補正３】
【補正対象書類名】明細書
【補正対象項目名】０００７
【補正方法】変更
【補正の内容】
【０００７】
（Ｂ）あるいは、本願発明に係る遊技機は、遊技領域に遊技媒体を発射して遊技を行う遊技機であって、前記遊技領域に発射された遊技媒体が流下可能な第１経路および該第１経路とは異なる第２経路と、前記第１経路に遊技媒体を流下させることが有利な第１状態と、前記第２経路に遊技媒体を流下させることが有利な第２状態と、を含む複数の状態に制御可能な制御手段と、前記第２経路に向けた遊技媒体の発射を促す促進報知を実行可能な報知手段と、を備え、前記報知手段は、前記第２状態であるときに、第１態様の促進報知と、該第１態様よりも認識しやすい第２態様の促進報知と、を実行可能であり、所定条件の成立に基づいて第１態様の促進報知を実行可能であり、前記所定条件が成立した後に特定条件の成立に基づいて第２態様の促進報知を実行可能であり、音量に関する設定が可能な設定手段と、遊技者の動作を検出可能な検出手段と、をさらに備え、前記設定手段による設定に対応した音量で第１態様の促進報知を実行可能であり、前記設定手段による設定と比較して大きな音量で第２態様の促進報知を実行可能であり、前記設定手段は、前記検出手段の検出結果に応じて音量に関する設定を変更可能である。
（２）さらに、他の態様に係る遊技機は、遊技領域に遊技媒体（例えば遊技球など）を発射して遊技を行う遊技機（例えばパチンコ遊技機１など）であって、前記遊技領域に発射された遊技媒体が流下可能な第１経路（例えば右側遊技領域など）および該第１経路とは異なる第２経路（例えば左側遊技領域など）と、前記第１経路に遊技媒体を流下させることが有利な第１状態（例えば高ベース状態など）と、前記第２経路に遊技媒体を流下させることが有利な第２状態（例えば低ベース状態など）とを含む複数の状態に制御可能な制御手段（例えば遊技制御用マイクロコンピュータ１００のＣＰＵ１０３など）と、前記第２経路に向けた遊技媒体の発射を促す促進報知を実行可能な報知手段（例えば演出制御用ＣＰＵ１２０、画像表示装置５、スピーカ８Ｌ、８Ｒなど）とを備え、前記報知手段は、前記第２状態であるときに、第１態様の促進報知（例えば第１報知画像の表示例６９ＡＫＤ１１、第１報知出力量による音声出力など）と、該第１態様よりも認識しやすい第２態様の促進報知（例えば第２報知画像の表示例６９ＡＫＤ１２、第２報知出力量による音声出力など）とを実行可能であり、所定条件（例えば第１通過条件など）の成立に基づいて第１態様の促進報知を実行可能であり、前記所定条件が成立した後に特定条件（例えば第２通過条件など）の成立に基づいて第２態様の促進報知を実行可能であり、音量に関する設定が可能な設定手段（例えばステップ６９ＡＫＳ１３、６９ＡＫＳ２５、６９ＡＫＳ３４を実行する演出制御用ＣＰＵ１２０など）をさらに備え、前記設定手段による設定に対応した音量で第１態様の促進報知を実行可能であり、前記設定手段による設定と比較して大きな音量で第２態様の促進報知を実行可能である（例えば設定例７０ＡＫＣ０２による出力量設定など）。
これにより、適切な報知が可能となり、遊技興趣の低下を防止できる。